(57)【要約】      （修正有）【課題】改修用二重ドレンとの着脱を容易に行うことができ、配管部分を塞ぐことなく、強い結合力をもって装着できるドレンキャップを提供する。【解決手段】改修用二重ドレンの入口であるドレン口を排水可能に塞ぐドレンキャップ本体と、前記ドレンキャップ本体を、前記改修用二重ドレンの端部に固定する固定金具と、を備え、前記固定金具は、支柱部材と、弾性を有する可撓性の部材から構成される連結部材とを備え、前記支柱部材の一端は前記ドレンキャップ本体の頂部又は一部に連結される、前記支柱部材の他端は、前記連結部材の略中央部に接続され、前記連結部材の両端は、前記改修用二重ドレンの入口側の端部に固定され、前記連結部材は、前記ドレンキャップ本体の内部に向かって凸になるように湾曲し、前記ドレンキャップ本体が前記改修用二重ドレンの端部に固定されるとき、前記両端を除く前記連結部材の全体は前記ドレンキャップ本体の内部に配置される。【選択図】図１
2020153174.tif 000002
【特許請求の範囲】
【請求項１】
改修用二重ドレンの入口であるドレン口を排水可能に塞ぐドレンキャップ本体と、
前記ドレンキャップ本体を、前記改修用二重ドレンの端部に固定する固定金具と、
を備え、
前記固定金具は、支柱部材と、弾性を有する可撓性の線状又は板状の部材から構成される連結部材とを備えて構成され、
前記支柱部材の一端は前記ドレンキャップ本体の頂部又は一部に連結される一方、前記支柱部材の他端は、前記連結部材の略中央部に接続され、
前記連結部材の両端は、前記改修用二重ドレンの入口側の端部に固定され、
前記連結部材は、前記ドレンキャップ本体の内部に向かって凸になるように湾曲し、前記ドレンキャップ本体が前記改修用二重ドレンの端部に固定されるとき、前記両端を除く前記連結部材の全体は前記ドレンキャップ本体の内部に配置されて前記ドレン口への排水を妨げない、
ことを特徴とするドレンキャップ。
【請求項２】
前記支柱部材は、その長さが調整可能に構成される、
請求項１に記載のドレンキャップ。
【請求項３】
前記支柱部材と前記連結部材とを離脱可能に接続する離脱手段をさらに備え、
前記離脱手段は、前記支柱部材と前記連結部材の間に所定以上の引張荷重が作用した場合に離脱する、
請求項１に記載のドレンキャップ。
【請求項４】
所定以上の引張荷重が作用した場合に離脱する離脱手段をさらに備え、
前記離脱手段は、前記支柱部材と前記ドレンキャップ本体との間に設けられる、又は、前記連結部材と前記改修用二重ドレンとの間に設けられる、
請求項１又は２に記載のドレンキャップ。
【発明の詳細な説明】
【技術分野】
【０００１】
本発明は、建物の屋上に設けられるドレンキャップに関する。
【背景技術】
【０００２】
ビルやマンション等の建物の屋上やベランダ、或いは、駐車場等の屋外の所定の場所には、雨水等をドレン（排水管）に排水するためのドレン口が設けられている。ドレン口には、屋上に落ちた落ち葉や小枝、ビニル等のゴミが雨水と共にドレンに流れ込むのを防止するためのドレンキャップが装着されている。
【０００３】
また、ドレンキャップを容易に着脱するためにボルトなどで下地等に止め付けることが行われている。この場合、固定を行うためのボルト等を下地面等に設け、そのボルト等は鋳物製等のドレンと一体化されている場合が多い。
【０００４】
一方、このようにボルト等により固定したドレンキャップを含む防水構造を改修する場合には既存のドレン構造の上から防水改修の施工を行う工法が多く採用されている。このような改修施工の場合には、既存のドレンに「改修用二重ドレン」と呼ばれるドレン（「二重ドレン」又は「改修用ドレン」と言われることもある）を挿入して、その上から防水シートを貼り替える。そのために、既設のドレン構造で設置されていたドレンキャップ固定用のボルトやネジ穴が改修施工の場合には設置できない。またドレン周辺部も防水シート等で覆って改修を行うため、ドレンキャップ固定用の既存ボルト等も利用できない。したがって、このような改修工事においてはドレンキャップを既設ドレン構造と同じようにネジ止め等することができない。
【０００５】
また、改修用二重ドレンは既存のドレン孔に改修用二重ドレンの排水管部分を入れただけで既存のドレンまたは躯体（即ち、建物の構造体）そのものと固定されていない為に、改修用二重ドレンとドレンキャップとをビスなどで固定した場合、次のような問題がある。第１の問題は、ドレンキャップ本体は、ドレンと異なり、躯体の外に出ているために、人が誤ってドレンキャップ本体を蹴るなどして、大きな力がドレンキャップに作用した場合、ドレンキャップとビスなどで固定されている改修用二重ドレンが、防水シートから剥がれたり、または改修用二重ドレンが破損したりする恐れがあることである。
【０００６】
そこで、ドレンキャップに可撓性の帯状部材（或いは板バネ）を設け、この帯状部材をドレンに挿入し、帯状部材の反発力によってドレン内壁面に帯状部材が接することで、ドレンキャップがドレンに固定されるという構造が提案されている。
しかし、このような構造の場合、ドレンキャップは、帯状部材の反発力によって固定されているだけであり、帯状部材がドレン内壁に対して滑りやすいと簡単にドレンキャップが抜けてしまう。したがって、強風に対して十分な耐力がないと、ドレンキャップが抜けてしまったり、飛んでしまったりすることがあった。
【０００７】
第２の問題は、ドレンの排水能力が低下することである。従来から提案されている改修用ドレンキャップは、上記の帯状部材や板バネ等を改修用二重ドレンの排水管部分に深く挿入させることで結合力を強めているが、帯状部材や板バネ、或いは、それを支える支柱が配管部分の排水断面を削減させることになり、これが結果的に改修用二重ドレンの排水能力を大きく低下させることになっている。
【先行技術文献】
【特許文献】
【０００８】
【特許文献１】特開２０１６−７９５６６号公報
【特許文献２】特開２００６−０４５８８１号公報
【発明の概要】
【発明が解決しようとする課題】
【０００９】
本発明は上記事情に鑑みてなされてものであり、本発明が解決しようとする課題は、改修用二重ドレンとの着脱を容易に行うことができると共に、改修用二重ドレンの配管部分を塞ぐことなく、改修用二重ドレンに対して強い結合力をもって装着することができるドレンキャップを提供することである。また、改修用二重ドレンの特性、既存ドレン孔に差し込んでいるだけで既存ドレンに対して固定されていないということを考慮して、配管方向の外側に一定以上の大きな荷重が作用した場合、ドレンキャップと改修用二重ドレンの連結が解ける構造を持つドレンキャップを提供することである。
【課題を解決するための手段】
【００１０】
上記課題を解決するため、本発明に係るドレンキャップは、改修用二重ドレンの入口であるドレン口を排水可能に塞ぐドレンキャップ本体と、前記ドレンキャップ本体を、前記改修用二重ドレンの端部に固定する固定金具と、を備え、前記固定金具は、支柱部材と、弾性を有する可撓性の線状又は板状の部材から構成される連結部材とを備えて構成され、前記支柱部材の一端は前記ドレンキャップ本体の頂部又は一部に連結される一方、前記支柱部材の他端は、前記連結部材の略中央部に接続され、前記連結部材の両端は、前記改修用二重ドレンの入口側の端部に固定され、前記連結部材は、前記ドレンキャップ本体の内部に向かって凸になるように湾曲し、前記ドレンキャップ本体が前記改修用二重ドレンの端部に固定されるとき、前記両端を除く前記連結部材の全体は前記ドレンキャップ本体の内部に配置されて前記ドレン口への排水を妨げない、ことを特徴とする。
【発明の効果】
【００１１】
本発明に係るドレンキャップによれば、ドレン口に対して強い結合力をもって装着することができると共に、結合部分が改修用二重ドレンの配管部分を大きく塞ぐことが無く、改修用二重ドレン自体の排水能力の低下を防ぐことができる。また、ドレンキャップに想定以上の力が作用した場合、ドレンキャップが改修用二重ドレンから外れ、改修用二重ドレンの破損を防ぐことが可能となる。
【図面の簡単な説明】
【００１２】
【図１】本発明の一実施形態に係るドレンキャップの構造例を示す断面図。
【図２】ドレンキャップの固定金具をドレンの突起取り付ける状況を示す断面図。
【図３】クリップの構造の詳細の一例を示す図。
【図４】横型のドレンに固定するドレンキャップの一例を示す図。
【発明を実施するための形態】
【００１３】
本発明に係るドレンキャップ、及び、ドレンキャップの固定金具の実施形態について、添付図面を参照して説明する。
【００１４】
図１は、本発明の一実施形態に係るドレンキャップ１の構造例を示す断面図である。ドレンキャップ１は、ドレンキャップ本体２と、固定金具３とを有して構成される。固定金具３は、支柱部材４と連結部材５とを有している。支柱部材４は、ドレンキャップ本体２と改修用二重ドレン６のドレン口６ａとの距離を調整できるように構成されている。連結部材５は、支柱部材４と改修用二重ドレン６の突起部６ｂとを連結する。ドレンキャップ１と改修用二重ドレン６は、連結部材５の末端にある連結手段５ｃ、例えば、丸い輪５ｃを、改修用二重ドレン６のドレン口６ａ付近に設けられた連結手段、例えば、突起６ｂに通すことにより連結される。また、支柱部材４と連結部材５の間には、離脱手段５ａ、例えば、バネ機能を持つクリップ５ａが設けられている。離脱手段５ａは、想定以上の力が支柱部材４と連結部材５の間に作用した場合には、離脱手段５ａによって両者が外れる構造となっている。
【００１５】
また、改修用二重ドレン６は、既存ドレン７の中に挿入し、その上から防水層８と接着剤で抑えられているだけであり、既存ドレン７または躯体９との間はビスなどで固定されていない。そのために、改修用二重ドレン６に強い衝撃が作用した場合は、改修用二重ドレン７が動き、最悪の場合は防水層８との接着が外れる可能性がある。本発明は、ドレンキャップ１に想定以上の力が作用した場合、固定金具３の支柱部材４と連結部材５の間にある離脱手段（クリップ）５ａから円柱部材４ｄが外れることにより、ドレンキャップ本体２が改修用二重ドレン６から外れ、改修用二重ドレン６と防水層８との破損を防ぐことができる。
【００１６】
また、特許文献１等で開示されるドレンキャップは、ドレンキャップに設けられた帯状部材をドレンに挿入し、その帯状部材の反発力によってドレン内壁面に帯状部材が接することで、ストレーナーがドレンに固定されるという構造が用いる。このために、ドレン口６ａを帯状部材がふさぐことになり、改修用二重ドレン６の排水能力を低下させていた。これに対して、本発明のドレンキャップ１は、連結部材３がドレンキャップ本体２の中に納まるために、ドレン口６ａをふさぐことが無く、改修用二重ドレン６の排水能力を低下させない。
【００１７】
また、特許文献１等で開示されるドレンキャップは、帯状部材（板バネ）の湾曲面をドレンの内面を押し付ける方式である。この方式は、面と面との押し付けによって生じる圧力によって、ドレンキャップをドレンに固定する方式であるため、ドレンキャップを固定する力には限界がある。
【００１８】
一方、本実施形態は、図１に示すように、改修用二重ドレン６の連結用突起６ｂに装着された連結部材５は、弾性を有する可撓性の線状又は板状の部材５ｂを有しているために、改修用二重ドレン６の内壁を常に押すことになる。この結果、改修用二重ドレン６の連結用突起６ｂに掛けられた連結手段５ｃ（例えば、丸い輪５ｃ）は、連結用突起６ｂから外れることなく、ドレンキャップ１に想定内の上向きの力が作用した場合でも改修用二重ドレン６と固定できる。なお、連結用突起６ｂは、屋上等に改修用二重ドレン６を設置する前に改修用二重ドレン６に予め取り付けてもよいし、改修用二重ドレン６を屋上等に設置した後で接着剤などで取り付けてもよい。
【００１９】
図２は、本発明のドレンキャップ１を改修用二重ドレン６に装着する方法を示した図である。図２に示すように、ドレンキャップ本体２は、改修用二重ドレン６のドレン口６ａを覆うように配設される。また、支柱部材４の高さ調整用ねじ４ａは、枠材４ｃの上部に設けられたナット４ｂに通されている。そのため、高さ調整用ねじ４ａを回すことにより、固定金具３自体を下方向に延ばすことができる。このことにより、ドレンキャップ本体２の底面と改修用ドレン６のドレン口の間に隙間ができ、作業者は、この隙間を利用して、連結部材５の端部５ｃを改修用二重ドレン６の連結用突起６ｂに連結できる。連結後は、支柱部材４の高さ調整用ねじ４ａを先ほどとは逆に回すことにより、ドレンキャップ本体が下にさがり、ドレンキャップ１の底面を防水層８に密着させることができる。なお、この際、高さ調整用ねじ４ａは、クリップ５ａの口が開かない程度に留めることが必要である。必要以上に高さ調整用ねじ４ａを回すと、クリップ５aの口の部分が開いて、支柱部材４と連結部材５とが外れてしまうためである。
【００２０】
ドレンキャップ１の支柱部材４の高さ調整機能は、上述した実施形態に限定されない。例えば、支柱部材上部からワイヤーなどをドレンキャップ本体２の先から出し、ワイヤーの出し入れで高さを調整するものでも良い。
【００２１】
ドレンキャップ１の支柱部材４と連結部材５の間に設置される離脱手段５ａの構造は、例えば、図３に示すように、いわゆる目玉クリップのような形状と機能を有するクリップ５ａと、それに挟まれる円柱部材４ｄからなっている。円柱部材４ｄは、ビスなど代用することも可能である。クリップ５ａから円柱部材４ｄが外れる力は、クリップ５ａのバネ強度と、円柱部材４ｄの直径の大きさで調整することが出来る。外れる力の調整については、改修用二重ドレン６の材質を考慮して決めるものとする。なお、クリップ５ａの構造は、上述した実施形態に限定されない。例えば、いわゆる目玉クリップの形ではなく、板バネのみで構成する形態も可能である。
【００２２】
また、ドレンキャップ１の支柱部材４と連結部材５の間に設置される離脱手段５ａは、上記の部位以外にも設置することができる。例えば、離脱手段５ａを固定金具３の支柱部材４とドレンキャップ２の間、或いは、固定金具３の連結部材５と改修用ドレン６の連結突起６ｂの間に設けても良い。
【００２３】
固定金具３の支柱部材４を構成する部材の材料は、アルミ材やステンレス材に限定されるものではなく、例えば、鋳鉄や銅などの金属材でもよいし、樹脂やセラミクス等の非金属材でもよい。
【００２４】
固定金具３の連結部材５を構成する可撓性部材５ｂは、板バネと呼ばれる可撓性帯状材料を使い、端に突起を通す穴を開けたものでも良いし、線状のバネを使用し、先端に突起を通すような円形に加工したものでもよい。
【００２５】
ここまで、図１及び図２を用いて説明してきたドレンキャップ１は、屋上のフロアから鉛直に下がる縦型の改修用二重ドレン６のドレン口６ａを覆うタイプであるが、上述した実施形態は、その本質を変えることなく、横型の改修用二重ドレン６を覆うドレンキャップ１として構成することができる。
【００２６】
図４は、横型の改修用二重ドレン６のドレン口６ａを覆うドレンキャップ本体２と、その固定金具２の一例を示す図である。横型の改修用二重ドレン６は、例えば、屋上の隅から斜め下に若干傾斜しながら横方向に所定長だけ延び、その後、鉛直下方に延びている。図４は、横型改修用二重ドレン６の入口近傍を横から見た断面を模式的に示した図である。
【００２７】
横型の改修用二重ドレン６に適用されるドレンキャップ１は、ドレンキャップ本体２の全体的な形状は図１及び図２に示した形状とは異なるものの、固定金具３を構成する支柱部材４と連結部材５の基本的な構造や構成は、ここまで説明してきた実施形態と異ならない。
【００２８】
以上説明してきたように、本実施形態に係るドレンキャップ１によれば、改修用二重ドレン６の端部への着脱を容易に行うことができると共に、改修用二重ドレン６に対して強い結合力をもって装着することができる。また、ドレンキャップ１に想定以上の力が作用した場合に、支柱部材４と連結部材５が外れることにより、改修用ドレン６の破損を防ぐことが出来る。さらに、ドレンキャップの取付金具３、特に連結部材５、が改修用二重ドレン６の配管部分を塞ぐことが無いために、ドレンキャップの装着による改修用二重ドレンの排水能力の低下を大幅に下げることが可能となる。
【００２９】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【符号の説明】
【００３０】
１  ドレンキャップ
２  ドレンキャップ本体
３  取付金具
４  支柱部材
４ａ  高さ調整用ねじ
４ｂ  ナット
４ｃ  枠材
４ｄ  円柱部材
５  連結部材
５ａ  離脱手段（クリップ）
５ｂ  可撓性部材
６  改修用二重ドレン
６ａ  ドレン口
６ｂ  連結用突起
７  既存ドレン
８  防水層
９  躯体
【図１】
2020153174.tif 000003
【図２】
2020153174.tif 000004
【図３】
2020153174.tif 000005
【図４】
2020153174.tif 000006
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
改修用二重ドレンの入口であるドレン口を排水可能に塞ぐドレンキャップ本体と、
前記ドレンキャップ本体を、前記改修用二重ドレンの端部に固定する固定金具と、
を備え、
前記固定金具は、支柱部材と、弾性を有する可撓性の線状又は板状の部材から構成される連結部材とを備えて構成され、
前記支柱部材と前記連結部材とを離脱可能に接続する離脱手段をさらに備え、
前記支柱部材の一端は前記ドレンキャップ本体の頂部又は一部に連結される一方、前記支柱部材の他端は、前記連結部材の略中央部に接続され、
前記連結部材の両端は、前記改修用二重ドレンの入口側の端部に固定され、
前記連結部材は、前記ドレンキャップ本体の内部に向かって凸になるように湾曲し、前記ドレンキャップ本体が前記改修用二重ドレンの端部に固定されるとき、前記両端を除く前記連結部材の全体は前記ドレンキャップ本体の内部に配置されて前記ドレン口への排水を妨げず、
前記離脱手段は、前記支柱部材と前記連結部材の間に所定以上の引張荷重が作用した場合に離脱する、
ことを特徴とするドレンキャップ。
【請求項２】
前記支柱部材は、その長さが調整可能に構成される、
請求項１に記載のドレンキャップ。
【請求項３】
改修用二重ドレンの入口であるドレン口を排水可能に塞ぐドレンキャップ本体と、
前記ドレンキャップ本体を、前記改修用二重ドレンの端部に固定する固定金具と、
所定以上の引張荷重が作用した場合に離脱する離脱手段と、
を備え、
前記固定金具は、支柱部材と、弾性を有する可撓性の線状又は板状の部材から構成される連結部材とを備えて構成され、
前記支柱部材の一端は前記ドレンキャップ本体の頂部又は一部に連結される一方、前記支柱部材の他端は、前記連結部材の略中央部に接続され、
前記連結部材の両端は、前記改修用二重ドレンの入口側の端部に固定され、
前記連結部材は、前記ドレンキャップ本体の内部に向かって凸になるように湾曲し、前記ドレンキャップ本体が前記改修用二重ドレンの端部に固定されるとき、前記両端を除く前記連結部材の全体は前記ドレンキャップ本体の内部に配置されて前記ドレン口への排水を妨げないように構成され、
前記離脱手段は、前記支柱部材と前記ドレンキャップ本体との間に設けられる、又は、前記連結部材と前記改修用二重ドレンとの間に設けられる、
ことを特徴とするドレンキャップ。
【請求項４】
前記支柱部材は、その長さが調整可能に構成される、
請求項３に記載のドレンキャップ。